(57)【要約】【課題】  保管場所から迅速に運搬でき、給水車や蛇口設備に容易に取り付けることができ、かつ容易に操作でき、しかも、使用前の消毒を容易に行えることができる安価な給水装置を提供する。【解決手段】  高圧の送水管から減圧して実用的な水圧を得るための減圧弁付き給水装置において、減圧弁１と、減圧弁１の出側に取り付けられた流量計２と、減圧弁１の入側に取り付けられた入側開閉弁３と、流量計２の出側に取り付けられた出側開閉弁４とを備えている。入側開閉弁３と減圧弁１と流量計２とは、手動により着脱可能なカップリングを介して互いに接続されている。入側開閉弁３の入口端は、送水管に接続され、出側開閉弁４の出側端は、給水車等の使用側設備に接続される。【選択図】  図１
2005179921.tif 000002
【特許請求の範囲】
【請求項１】
高圧の送水管内の飲料水を実用的な水圧に減圧して使用設備に供給するための減圧弁付き給水装置において、
減圧弁と、前記減圧弁の出側に取り付けられた流量計と、前記減圧弁の入側に取り付けられた入側開閉弁と、前記流量計の出側に取り付けられた出側開閉弁とを備え、前記入側開閉弁と前記減圧弁と前記流量計とは、手動により着脱可能なカップリングを介して互いに接続され、前記入側開閉弁の入口端は、前記送水管に接続され、前記出側開閉弁の出側端は、使用側設備に接続されることを特徴とする、減圧弁付き給水装置。
【請求項２】
給水装置用台車を備え、前記台車により手動により目的地まで搬送できることを特徴とする、請求項１記載の減圧弁付き給水装置。
【請求項３】
前記減圧弁は、１台で１／６〜１／７に圧力調整が可能であり、入側と出側には、圧力計が取り付けられていることを特徴を有する、請求項１または２記載の減圧弁付き給水装置。
【発明の詳細な説明】
【技術分野】
【０００１】
この発明は、給水装置、特に、高圧力の送水管から分岐して適切な圧力に調整した水を給水車や蛇口等の使用側設備に供給するための減圧弁付き給水装置に関するものである。
【背景技術】
【０００２】
地震等の災害により断水した場合には、直ちに飲料水を必要な場所に供給する必要がある。このためには、給水車、あるいは、民家近くの適切な場所に設置された蛇口への飲料水の給水装置が必要となる。
【０００３】
給水車あるいは蛇口等の使用側設備への飲料水の供給源として、後述する送水管内の飲料水を使用する場合がある。これは、送水管は、耐震性等を十分に高めて施工されているために、地震等による被害が少ないと想定されるからである。
【０００４】
送水管は、貯水池と民家の蛇口等に連結される配水管との間に配管されている。なお、上水道は、ポンプ類を除いて、図９に示すように、貯水池９、導水管１０、浄水場１１、送水管１２、配水池１３および配水管１４の順に流れて民家１５等に供給されている。飲料水に適した滅菌処理等は、浄水場１１で行われ、その後、送水管１２に送られる。
【０００５】
浄水場１１が遠地に配置されている場合、送水管１２は、送水圧力を高くする必要がある。また、起伏の多い場所では落差により静水圧が高くなる。
【０００６】
災害時に送水管１２から水を取り出すための分岐部としては、送水管１２に間隔をあけて設けられた空気弁１６を取り付けるための枝管１７が利用できる。
【０００７】
しかしながら、例えば、水圧１．９６ＭＰａのような高圧水の条件下では、飲料水を直接、送水管１２から取り出すには、配管・蛇口の耐水圧性、配管の不安定さ、ウォーターハンマーによる破損等の危険があり、０．２９ＭＰａ程度に減圧する必要がある。
【０００８】
また、給水車への補給や直結で蛇口を設ける等の場合には、適切な場所に設けられた空気弁１６まで容易に移動でき、簡易に取り付けられ、容易に操作できる給水設備でなければならず、さらに、普及させるには安価である必要がある。しかも、このような給水装置は、長期間使用しない場合、使用前に内部の死水を排出し、容易に消毒が行えるようにする必要がある。
【発明の開示】
【発明が解決しようとする課題】
【０００９】
しかしながら、保管場所から迅速に運搬でき、給水車や蛇口等の使用側設備に容易に取り付けることができ、かつ容易に操作でき、しかも、使用前の消毒を容易に行えることができる安価な給水装置は、まだ提案されていないのが現状である。
【００１０】
なお、災害時に飲料水を供給する別な手段として緊急貯水槽があるがこの水槽の設置は、非常に高額となり普及させるには時間がかかる。
【００１１】
従って、この発明の目的は、保管場所から迅速に運搬でき、送水管の空気弁に容易に取り付けて、給水車や蛇口設備に接続することができ、かつ容易に操作でき、しかも、使用前の消毒を容易に行えることができる安価な給水装置を提供することにある。
【課題を解決するための手段】
【００１２】
請求項１記載の発明は、高圧の送水管内の飲料水を実用的な水圧に減圧して使用設備に供給するための減圧弁付き給水装置において、減圧弁と、前記減圧弁の出側に取り付けられた流量計と、前記減圧弁の入側に取り付けられた入側開閉弁と、前記流量計の出側に取り付けられた出側開閉弁とを備え、前記入側開閉弁と前記減圧弁と前記流量計とは、手動により着脱可能なカップリングを介して互いに接続され、前記入側開閉弁の入口端は、前記送水管に接続され、前記出側開閉弁の出側端は、使用側設備に接続されることに特徴を有するものである。
【００１３】
請求項２記載の発明は、請求項１記載の発明において、給水装置用台車を備え、前記台車により手動により目的地まで自在に搬送できることに特徴を有するものである。
【００１４】
請求項３記載の発明は、請求項１または２記載の発明において、前記減圧弁は、１台で１／６〜１／７に圧力調整が可能であり、入側と出側には、圧力計が取り付けられていることに特徴を有するものである。
【発明の効果】
【００１５】
この発明によれば、保管場所から迅速に運搬でき、送水管の空気弁に容易に取り付けて、給水車や蛇口設備に接続することができ、かつ容易に操作でき、しかも、使用前の消毒を容易に行えることができる安価な給水装置が提供される。
【発明を実施するための最良の形態】
【００１６】
次に、この発明の給水装置の一実施態様を、図面を参照しながら説明する。
【００１７】
図１は、この発明の給水装置Ａを示す正面図、図２は、この発明の給水装置Ａを示す平面図、図３は、送水管の空気弁から給水装置Ａが接続されるカップリングまでの配管図、図４は、給水装置用台車を示す正面図、図５は、給水装置用台車を示す平面図、図６は、給水装置用台車を示す側面図、図７は、送水管の建屋に固定された給水装置を示す平面図、図８は、図７のＡ−Ａ矢視拡大図である。
【００１８】
図１および図２において、１は、減圧弁であり、送水管内の飲料水の水圧を１／６〜１／７に減圧可能になっている。減圧弁１の入口側と出口側には、圧力計（図示せず）が取り付けられていて、入口側と出口側との圧力を確認できるようになっている。２は、減圧弁１の出側に取り付けられた電磁流量計、３は、減圧弁１の入側に取り付けられた入側開閉弁、４は、流量計２の出側に取り付けられた出側開閉弁である。入側開閉弁３と減圧弁１と流量計２とは、手動により容易に着脱可能なオス、メスのカップリングを介して互いに接続されている。
【００１９】
すなわち、入側開閉弁３の入口端は、オスの入側カップリング５により形成され、入側開閉弁３の出口端は、メスのカップリングにより形成され、これに減圧弁１の入口端のオスのカップリングが挿入されている。また、減圧弁１の出口端は、メスのカップリングにより形成され、これに流量計２の入口端のオスのカップリングが挿入されている。出側開閉弁４の出口端は、オスの出側カップリング６により形成されている。入側カップリング５は、後述する送水管側のメスのカップリング２３に挿入され、出側カップリング６は、給水車や蛇口等の使用側設備のメスのカップリング（図示せず）に挿入される。
【００２０】
入側開閉弁３と出側開閉弁４とは、それぞれレバー３Ａ、４Ａを手動で回動させることによって容易に開閉可能になっている。入側開閉弁３と減圧弁１とを接続するカップリング、および、減圧弁１と流量計２とを接続するカップリングは、それぞれ着脱レバー７、８を開閉することによって容易に着脱可能になっている。
【００２１】
次に、上述した給水装置Ａと送水管１２との接続法を、図３を参照しながら説明する。
【００２２】
図３において、１８は、送水管１２からの枝管１７の途中に取り付けられた仕切弁であり、空気弁１６の補修時等に使用される。１９は、空気弁１６と仕切弁１８との間に取り付けられたＴ字管、２０は、Ｔ字管１９に取り付けられた仕切弁、２１は、仕切弁２０の出側に取り付けられた逆止弁、２２は、逆止弁２１の出側に取り付けられたドレンバルブ、２３は、逆止弁２１とドレンバルブ２２との間に取り付けられたメスのカップリングである。このカップリング２３に上述した給水装置Ａの入側カップリング５が挿入される。
【００２３】
次に、この発明の給水装置Ａにより送水管から飲料水を使用側設備に供給する方法について説明する。
【００２４】
先ず、給水装置Ａを使用する前に、入側および出側開閉弁３、４を全開にして給水装置Ａ内に次亜塩素酸ナトリウム等の消毒液を流して給水装置Ａを消毒する。また、仕切弁２０を開いて枝管１７からカップリング２３までの管路内に溜まった死水をドレンバルブ２２から排水する。このようにして、給水装置Ａと管路内の清掃、消毒が完了したら、給水装置Ａのオスの入側カップリング５を送水管１２側のメスのカップリング２３に挿入し、接続する。この後、オスの出側カップリング６を、例えば、カップリング付きのホースを介して給水車に接続する。このとき仕切弁２０と入側および出側開閉弁３、４とは閉にしておく。そして、給水装置Ａの接続完了後、仕切弁２０と入側および出側開閉弁３、４とを開けば、減圧弁１により所定の水圧に減圧された送水管１２内の飲料水が給水車に供給される。
【００２５】
給水装置Ａは、空気弁１６毎に設けても良いが、必要な空気弁１６箇所に運搬して接続するようにすれば経済的である。これには、図４から図６に示すような給水装置用台車２４を使用する。この台車２４は、キャスター２５およびハンドル２６が設けられ、図１および図２中、二点鎖線で示すように、給水装置Ａを載せた後、バンド２７および蝶ネジ２８により給水装置Ａを固定できるようになっている。
【００２６】
所定の空気弁１６の箇所まで給水装置Ａを台車２４により運搬したら、図７および図８に示すように、送水管１２の建屋の壁３１に給水装置Ａをバンド２９および蝶ネジ３０により固定し、使用する。給水装置Ａの取り外しは、蝶ネジ３０を緩めることによって簡単に行える。
【００２７】
なお、減圧弁１が故障した場合には、減圧弁１を取り外し、入側開閉弁３を直接、流量計２に接続しても良い。この場合、減圧操作は、入側および出側開閉弁３、４の開度調整により行う。
【図面の簡単な説明】
【００２８】
【図１】この発明の給水装置を示す正面図である。
【図２】この発明の給水装置を示す平面図である。
【図３】送水管の空気弁から給水装置が接続されるカップリングまでの配管図である。
【図４】給水装置用台車を示す正面図である。
【図５】給水装置用台車を示す平面図である。
【図６】給水装置用台車を示す側面図である。
【図７】送水管の建屋に固定された給水装置を示す平面図である。
【図８】図７のＡ−Ａ矢視拡大図である。
【図９】貯水池から民家までの飲料水の流れを示す図である。
【符号の説明】
【００２９】
１：減圧弁
２：流量計
３：入側開閉弁
３Ａ：開閉レバー
４Ａ：開閉レバー
４：出側開閉弁
５：入側カップリング
６：出側カップリング
７：着脱レバー
８：着脱レバー
９：貯水池
１０：導水管
１１：浄水場
１２：送水管
１３：配水池
１４：配水管
１５：民家
１６：空気弁
１７：枝管
１８：仕切弁
１９：Ｔ字管
２０：仕切弁
２１：逆止弁
２２：ドレンバルブ
２３：カップリング
２４：台車
２５：キャスター
２６：ハンドル
２７：バンド
２８：蝶ネジ
２９：バンド
３０：蝶ネジ
３１：壁
【図１】
2005179921.tif 000003
【図２】
2005179921.tif 000004
【図３】
2005179921.tif 000005
【図４】
2005179921.tif 000006
【図５】
2005179921.tif 000007
【図６】
2005179921.tif 000008
【図７】
2005179921.tif 000009
【図８】
2005179921.tif 000010
【図９】
2005179921.tif 000011